(57)【要約】 【課題】  土壌が載せられていない部分も自然崩壊できるポリ乳酸フィルムを用いた生分解性農業用肥料シートを提供する。【解決手段】  基本的な形態としては、窒素肥料成分Ｎ、リン酸肥料成分Ｐ及びカリウム肥料成分Ｋを夫々所定量含有するコウモリの糞化石粉を肥料成分として有するポリ乳酸フィルム材料２により生分解性農業用肥料シート１を構成したもの。  なお、コウモリの糞化石粉のほか、コウモリの糞化石粉以外の窒素肥料成分、リン酸肥料成分及びカリウム肥料成分を混合した混合肥料成分を有するポリ乳酸フィルム材料により生分解性農業用肥料シート１を構成してもよい。  【選択図】  図１
0003131626.tif 000002
【実用新案登録請求の範囲】
【請求項１】
窒素肥料成分、リン酸肥料成分及びカリウム肥料成分を夫々所定量含有するコウモリの糞化石粉を肥料成分として有するポリ乳酸フィルム材料により構成したことを特徴とする生分解性農業用肥料シート。
【請求項２】
コウモリの糞化石粉のほか、コウモリの糞化石粉以外の窒素肥料成分、リン酸肥料成分及びカリウム肥料成分を混合した混合肥料成分を有するポリ乳酸フィルム材料により構成したことを特徴とする生分解性農業用肥料シート。
【請求項３】
窒素肥料成分、リン酸肥料成分及びカリウム肥料成分を夫々所定量含有するコウモリの糞化石粉と糖蜜とを混合した混合肥料成分を有するポリ乳酸フィルム材料により構成したことを特徴とする生分解性農業用肥料シート。
【請求項４】
コウモリの糞化石粉のほか、コウモリの糞化石粉以外の窒素肥料成分、リン酸肥料成分、カリウム肥料成分及び糖蜜とを混合した混合肥料成分を有するポリ乳酸フィルム材料により構成したことを特徴とする生分解性農業用肥料シート。
【請求項５】
請求項１乃至４に記載の生分解性農業用肥料シートに対して、対象の農作物に応じた間隔で種蒔き用又は苗植付け用の孔を形成したことを特徴とする生分解性農業用肥料シート。
【考案の詳細な説明】
【技術分野】
【０００１】
本考案は取り扱いが便利で、農作業に極めて有効なポリ乳酸フィルムを用いた生分解性農業用肥料シートに関するものである。
【背景技術】
【０００２】
現在、農作業に用いられる肥料としては、窒素肥料（硫酸アンモニウム、尿
素）リン酸肥料（過リン酸石灰、よう成リン肥）、カリ肥料（硫酸カリウム、塩化カリウム）等の化学肥料が主に用いられている。
【０００３】
ところで、このような化学肥料の場合、次のような問題点があった。
従来の化学肥料の場合は、年に数回の施肥が必要であるという煩雑さがあると共に、化学肥料は農作物にとっては、有効であるが、土の中の生物のえさにはなり難いために、微生物やみみず等の土壌を生育する生物が育たず、従って、化学肥料を長年使用すると土壌は劣化していく。
化学肥料を施した土壌が付近の河川に流出すると、河川の魚類が死んでしまうという公害が発生している。
このため、最近、有機肥料が見直され、有機肥料を使用した農業用マルチシート等が使用されているが、現在、使用されているものは、需要者の要望を十分充足するものではない。
さらに、最近では、とうもろこし、じゃがいも、さとうきび等の植物性の素材から生成され、微生物による生分解性の性質があるポリ乳酸フィルムが、廃棄処理の便利さから、各種分野での実用化が進んでおり、特許文献１に示すように、農業の分野での適用も検討され始めている。
しかしながら、現在、実用化されているポリ乳酸フィルムを廃棄した場合には、土壌に完全に埋めないものでは、最終的には、自然界に存在する微生物が分泌する酵素により生分解されるが、生分解が完全に行われるには長期間を要し、農地に使用した場合、このポリ乳酸フィルムは、土壌に埋め込まれず露出した部分が残存するため、後日に除去する必要があり、その解決が求められていた。
【０００４】
【特許文献１】特開２００６−６３３０８
【特許文献２】特開２００３−２６５５２２
【考案の開示】
【考案が解決しようとする課題】
【０００５】
即ち、特許文献１に示すものは、同文献に記載のように、これまでのポリ乳酸フィルムの欠点とされていたブリード現象やブロッキング現象を防止できるように改良した農業用ポリ乳酸フィルムの製造方法が記載されている。  ところで、この農業用ポリ乳酸フィルムを、本考案の適用用途である農業用マルチシートとして使用した場合には、土壌に埋め込まれず露出して使用される部分が存在するため、その露出した部分が長期間、生分解されず残存するため、残存した農業用ポリ乳酸フィルムを除去せねばならないという課題があり、このような除去の手間を省くようにすることが求められていた。
なお、ポリ乳酸フィルムの生分解が、土壌や堆肥中に埋められると容易に行われることは、ポリ乳酸フィルム製の紙オムツの技術を記載した特許文献２の記載からも明白である。
本考案は、このような従来のものの課題（問題点）を解決するようにしたポリ乳酸フィルムを用いた生分解性農業用肥料シート（以下「生分解性農業用肥料シート」と略称する）を提供することを目的とする。
【課題を解決するための手段】
【０００６】
本考案の生分解性農業用肥料シートは、上記課題を解決するために、請求項
１に記載のものでは、窒素肥料成分、リン酸肥料成分及びカリウム肥料成分を夫々所定量含有するコウモリの糞化石粉を肥料成分として有するポリ乳酸フィルム材料により構成したことを特徴とする。
【０００７】
また、これに代え、請求項２に記載のように、コウモリの糞化石粉のほか、コウモリの糞化石粉以外の窒素肥料成分、リン酸肥料成分及びカリウム肥料成分を混合した混合肥料成分を有するポリ乳酸フィルム材料により構成してもよい。
【０００８】
また、これに代え、請求項３に記載するように、窒素肥料成分、リン酸肥料成分及びカリウム肥料成分を夫々所定量含有するコウモリの糞化石粉と糖蜜とを混合した混合肥料成分を有するポリ乳酸フィルム材料により構成してもよい。
また、請求項４に記載のように、コウモリの糞化石粉のほか、コウモリの糞化石粉以外の窒素肥料成分、リン酸肥料成分、カリウム肥料成分及び糖蜜とを混合した混合肥料成分を有するポリ乳酸フィルム材料により構成してもよい。
【０００９】
さらに、請求項５に記載のように、請求項１乃至４のいずれかに記載の生分解性農業用肥料シートに対して、対象の農作物に応じた間隔で種蒔き用又は苗植え付け用の孔を形成した生分解性農業用肥料シートとするのが実用的である。
【考案の効果】
【００１０】
上記のように構成される生分解性農業用肥料シートは、次のような優れた効果を有する。
（１）まず、請求項１に記載のように構成した生分解性農業用肥料シートには、素材となるポリ乳酸フィルム材料が、コウモリの糞化石粉を肥料成分として有しているから、このような生分解性農業用肥料シートを、農作物を生育する畑のうね等の農地に敷設するようにすれば、このように敷設された生分解性農業用肥料シートは、農地に含まれた水分又は雨により、敷設された農地に密着し、時間の経過と共に、生分解性農業用肥料シートに含有されている窒素肥料成分、リン酸肥料成分及びカリウム肥料成分は、前述のように有機性の肥料要素を適切に配合した三大肥料成分であり、これらの各肥料成分が適切に土壌に溶け込んでゆくから、土壌中の微生物の増殖を活発にし、生分解性農業用肥料シートを配置した農地の農作物は、農地から十分な栄養素を得て、農作物の苗等の理想的な生育を促し、また、土壌の改良を行う。
この場合、一般に、リン酸は、三大肥料成分の内、最も吸収効率の低い要素であるが、コウモリの糞化石粉の中に含有するリン酸は、ク溶性リン酸のため、吸収率が高いため、農作物の苗等の理想的な生育を促し、例えば、野菜、果実の甘味を増し、植物の花を綺麗に沢山咲かすことができる。
なお、農作物が存在する以外の部分は、或る一定期間は、生分解性農業用肥料シートで覆われるため、雑草の生育の防止や、防虫にも役立つ。
【００１１】
このため、生分解性農業用肥料シートが土壌と接触している部分では、微生物は生分解性農業用肥料シートに直接接触できるが、土壌と接触していない部分では雨天などの水分を介して土壌との接触を密とし、さらに、近隣の土壌からも微生物を取り込むことができる。
また、生分解性農業用肥料シートにおける肥料成分中のコウモリの糞化石粉に含まれるフミン酸が土壌中の微生物の増殖を活発にする。
そして、これらの微生物が生分解性農業用肥料シートの母体であるポリ乳酸フィルムを構成する植物性の素材を食べて生分解作用を行う。
よって、土壌から露出した部分も含めて、所定期間が経過すると、本考案の生分解性農業用肥料シートの母体をなすポリ乳酸フィルムの素材を全て生分解して消滅させることができる。
従って、本考案の生分解性農業用肥料シートを農業用マルチシートとして適用した場合、従来のポリ乳酸フィルムを使用した場合とは異なり、残存したポリ乳酸フィルムを除去するという手間は、全く不要となる点で極めて実用性が大である。
【００１２】
（２）     段落番号００１１に述べた請求項１の効果は、請求項２に記載の生分
解性農業用肥料シートの場合も、全く、同様である。
即ち、請求項２のものでは、肥料要素として、コウモリの糞化石粉のほか、コウモリの糞化石粉以外の窒素肥料成分、リン酸肥料成分、カリ肥料成分を混合した混合肥料成分を有するポリ乳酸フィルムを用いて生分解性農業用肥料シートを構成する点が請求項１のものと相違するだけで、素材中にコウモリの糞化石粉の肥料成分を有する点は同じなため、上述した請求項１と同等の効果を発揮するものである。
【００１３】
（３）     請求項３及び請求項４に記載の生分解性農業用肥料シートの場合では、
肥料成分に「糖蜜」が存在するため、請求項１及び２の場合と同様の効果のほかに、微生物が、糖蜜を好んで食べるので、生分解性農業用肥料シートの生分解作用を、さらに、促進できる効果を有する。
【００１４】
（４）     請求項５に記載の生分解性農業用肥料シートの場合には、対象の農作物
に応じた間隔で種蒔き用又は苗植え付け用の孔が形成されているので、生分解性農業用肥料シートを農作物を生育する畑のうね等の農地に敷設するようにすれば、種播きや苗の植付けを適正に行うことができ、また、種や苗の生育に必要な雨水も上記孔から苗に付与できる点で実用的である。
なお、生分解性農業用肥料シート自体による農地の農作物に対する十分な栄養素としての機能や、土壌の改良機能、雑草の生育の防止や、防虫機能及び生分解作用を行い、自然崩壊する点も請求項１〜４の場合と同様である。
【考案を実施するための最良の形態】
【００１５】
以下図示する実施の形態によって本考案を具体的に説明する。
まず、本考案の生分解性農業用肥料シートを構成するポリ乳酸フィルムに含まれる肥料要素について説明する。主たる肥料要素は、次の各要素から構成される。
１． 基本の肥料成分
（１）コウモリの糞化石粉（Ｎ、Ｐ、Ｋ）
コウモリの糞化石粉以外の肥料成分
２．  窒素肥料成分
（１）魚粉（Ｎ）
（２）大豆かす粉（Ｎ）
３． リン酸肥料成分
（１）エビ殻粉（Ｐ）
（２）カニ殻粉（Ｐ）
（３）牛等の動物の骨粉（Ｐ）
４．  カリウム肥料成分
（１）塩化カリウム（Ｋ）
（２）硫酸カリウム（Ｋ）
（３）その他のカリウム成分（Ｋ）（例えば、アランアランやヤシ殻及び竹を焼成することに得られるカリウム成分など）
【００１６】
なお、上記の肥料要素中、基本の肥料成分であるコウモリの糞化石粉について、説明すると、次の通りである。
本願明細書で、コウモリの糞化石粉と記載しているのは、Bat Guanoのことで、以下に述べるような場所の洞窟の中に住むコウモリが出す糞やコウモリの死骸が腐食、風化して化石状となって堆積したものを粉状にしたものを意味し、より詳細に言えば、窒素質グアノとリン酸質グアノに分類されるものである。
(１) 窒素質グアノ
窒素質グアノとは、例えば、スリランカ、フィリピン、インドネシア、バングラデシュなどの地方の洞窟から産出されるコウモリの糞化石を粉状に粉砕したものをいい、洞窟のため、窒素成分が流出されず、窒素成分を多く含有するが、このほか、リン酸成分、カリウム成分も含有しているものをいう。
（２）リン酸質グアノ
リン酸質グアノは、例えば、インドネシア、フィリピンなどの地方の洞窟外で産出されたコウモリの糞化石を粉状に粉砕したものをいい、この地方では降雨のため、窒素分が流出し、リン酸成分が濃縮されているため、リン酸成分を多く含有し、このほか、カリウム成分と極少量の窒素成分も含有しているものをいう。
したがって、本願明細書で、肥料要素として用いるコウモリの糞化石粉としては、窒素質グアノとリン酸質グアノの両者を夫々適量、混合したものを用いるが、リン酸グアノの方の含有割合が多い方が、次に、述べるク溶性リン酸成分とフミン酸の含有量が増す点で望ましい。
即ち、本願考案で「コウモリの糞化石粉」を単独又は主体の肥料成分として使用する目的は、コウモリの糞化石粉に含有されるリン酸とフミン酸を含む次の機能に着目したものである。
Ａ．肥料としての効果
(1)フミン酸の機能で、リン酸の作物吸収性を促進する。
(2)ク溶性リン酸成分は吸収され易く、作物の根の張りを良くし、丈夫な作物へと育成する。また、土壌でのリン酸固定を防止する機能がある。
Ｂ．ポリ乳酸フィルムに与える効果
フミン酸は土壌中の微生物の増殖を活発にするので、この増殖された微生物を利用してポリ乳酸フィルムの生分解を促進させようと着眼したものである。
実施の形態：
【００１７】
次に、本考案の生分解性農業用肥料シートの構成について、本考案の各実施の形態を示す各図面により具体的に説明する。
第１の実施の形態：
図１及び図２は本考案の第１の実施の形態を示すもので、図１は平面図、図２は側面図である。
図１及び図２において、１は、本考案の第１の実施の形態の生分解性農業用肥料シートを示すもので、これは、次のような肥料成分または混合肥料成分を有するポリ乳酸フィルム材料２を用いて生分解性農業用肥料シート１を構成したものである。
即ち、請求項１に記載のように、窒素肥料成分Ｎ、リン酸肥料成分Ｐ及びカリウム成分Ｋを所定量含有するコウモリの糞化石粉を単独で肥料成分して有するポリ乳酸フィルム材料２を用いて、生分解性農業用肥料シート１を構成するのが基本的な実施形態である。
この場合、前記のように、コウモリの糞化石粉の産出素材によっては、窒素肥料成分とカリウム肥料成分が不足する場合があるので、請求項２に記載のように、コウモリの糞化石粉のほか、コウモリの糞化石粉以外の窒素肥料成分、リン酸肥料成分及びカリウム肥料成分を混合した混合肥料成分を有するポリ乳酸フィルム材料２により生分解性農業用肥料シート１を構成するようにしてもよいし、請求項３または４に記載のように肥料成分に糖蜜も有するポリ乳酸フィルム材料２により生分解性農業用肥料シート１を構成することも考えられる。
なお、図１及び図２では上述した窒素肥料成分Ｎを○で、リン酸肥料成分Ｐを×で、また、カリウム肥料成分Ｋを△で、夫々模式的に表示している。
【００１８】
上記のように、母体となるポリ乳酸フィルム材料２は、肥料成分としてのコウモリの糞化石粉や、コウモリの糞化石粉以外の窒素肥料成分及びリン酸肥料成分並びにカリウム肥料成分の混合肥料成分や糖蜜を有するような素材とする手段としては、例えば、ポリ乳酸フィルム生成の最終段階のポリ乳酸フィルムの巻取工程の直前の工程として、前記の肥料成分（混合肥料成分及び糖蜜も含む）が混合されて液状としたものを、２０〜４０℃程度のぬるま湯状態にした溶液槽を通過させる工程を加えることで、上記の各成分をポリ乳酸フィルム材料２（透水性）中に含浸させ、乾燥工程を経て生成するようにしたものである。
或いは、このような含浸による手段に代え、前記の肥料成分の溶液を収納した噴射ノズルを用いて既存のポリ乳酸フィルム材料２の表面又は裏面の一方或いは双方に対して噴射することでこれらの混合肥料成分をポリ乳酸フィルム材料２に付着させたものである。
第２の実施の形態：
【００１９】
図３は本考案の第２の実施形態を示す平面図である。
第２の実施の形態の生分解性農業用肥料シート１Ａは、同図に示すように、第１の実施の形態で得られた生分解性農業用肥料シート１に対して、種蒔き用又は苗植え付け用の孔３ａ1、３ａ2、３ａ3、・・・・３ａnを所定間隔に設けることで構成される。この場合、各孔３ａ1〜３ａnの間隔は、この生分解性農業用肥料シート１Ａを用いる場所で生育する農作物の種別（キャベツ、レタス、ピーマン、ナス、トマト等）によって最適の間隔となるように設定すればよい。
【００２０】
このような種蒔き用又は苗植え付け用の孔３ａ1〜３ａnが形成された生分解性農業用肥料シート１Ａを対象とする畑のうねＵ１、Ｕ２の長さに切断したものを、各うね部分Ｕ１、Ｕ２に配置し、生分解性農業用肥料シート１Ａの各側面一帯に土を載せる等して固定した後、各孔３ａ1〜３ａnの部分に対して農作物の種又は苗４ａ1〜４ａn、４ｂ1〜４ｂnを植え付ければよい。
なお、生分解性農業用肥料シート１Ａを固定するために、土を載せる手段に代えて、生分解性農業用肥料シート１Ａの両側の側面部に、図示は省略するが、簡単な支柱を設けて固定するようにしても良い。
【００２１】
このようにして畑の各うね部分Ｕ１、Ｕ２に生分解性農業用肥料シート１Ａを配置すれば、畑の土に含有されている水や雨水によって、各生分解性農業用肥料シート１Ａは畑のうね部分にくっつき、土壌と一体化し、これらの生分解性農業用肥料シート１Ａに含有されている前述した肥料成分である窒素、リン酸、カリウムの三大肥料成分が時間の経過と共に、配置された土壌に溶け込んで土壌に栄養を与えるという肥料として有効な働きをする。
また、これらの農作物の種が撒かれた部分や苗が植え付けれた部分には、適当な大きさの孔３ａ1〜３ａnが設けれているので、太陽光線が入射し、通常の農業の場合と同様に光合成の作用によって農作物は生育する。一方、生分解性農業用肥料シートが自然に農地に溶けきるまでは、うねを覆って、太陽光線を遮断して光合成の作用を妨げると共に温度を上昇させることにより、雑草の生育や、害虫の侵入やその活動を防止する効果もある。
【００２２】
本考案の生分解性農業用肥料シート１Ａでは、混合肥料成分中のコウモリの糞化石粉に含まれるフミン酸が土壌中の微生物を増殖させ、この微生物が生分解性農業用肥料シート１Ａの母体をなすポリ乳酸フィルムを食べることで生分解される。このように生分解して、消滅した状態を、図４では破線で示した。
即ち、生分解性農業用肥料シート１Ａに土壌が載せられている部分や、地面に接している裏面側では、土壌に直接接しているため、土壌中の微生物が生分解性農業用肥料シート１Ａに直接接触でき、一方、地上から露出した部分の表面側の部分については、雨水などの水分を介して土壌との接触状態を密とし、さらに、近傍の土壌からも微生物を取り込むことで、それらの微生物がポリ乳酸フィルムの植物素材を食べることによる生分解作用が行われるので、本考案の生分解性農業用肥料シート１Ａは所定期間の内に、自然崩壊して消滅する。
なお、この場合、生分解性農業用肥料シート１Ａとして、請求項３及び４に記載したような糖蜜も成分として有するポリ乳酸フィルム素材を用いた場合には、段落番号００１３に記載したように、この糖蜜を土壌の微生物が好んで食べることで、生分解性農業用肥料シート１Ａが生分解される期間を、さらに、短縮させることができる。
従って、いずれの場合でも、本考案の生分解性農業用肥料シート１Ａを使用した場合には、従来の農業用肥料シートのように、生分解されずに、不要となった農業用肥料シートを除去する手間が省ける。
【００２３】
本考案の生分解性農業用肥料シートは、上記の実施形態に示したものに限定されず、これらの実施形態に示された技術思想に基づき、各種の変形が可能である。
【図面の簡単な説明】
【００２４】
【図１】本考案の第１の実施の形態の生分解性農業用肥料シートを示す平面図である。
【図２】本考案の第１の実施の形態の生分解性農業用肥料シートを示す側面図である。
【図３】本考案の第２の実施の形態の生分解性農業用肥料シートの構成とこれが農地に配置される場合を示す平面図である。
【図４】本考案の第２の実施の形態の生分解性農業用肥料シートの機能を示す平面図である。
【符号の説明】
【００２５】
１、 １Ａ：生分解性農業用肥料シート
２：ポリ乳酸フィルム材料
Ｎ：窒素肥料成分
Ｐ：リン酸肥料成分
Ｋ：カリウム肥料成分
３ａ1〜３ａn：種蒔き用又は苗植え付け用の孔
４ａ1〜４ａn、４ｂ1〜４ｂn：農作物の種又は苗
【図１】
0003131626.tif 000003
【図２】
0003131626.tif 000004
【図３】
0003131626.tif 000005
【図４】
0003131626.tif 000006